(57)【要約】【課題】限られた作業スペース内での操作性を向上し得る構造簡単な歯科用注入器を提供する。【解決手段】先端部に投与部材が装着可能とされた筒状バレルと、先端部が前記バレル内に位置し且つ基端部が該バレルの基端開口から外方へ延びるように、該バレル内に軸方向移動自在に挿入されるプランジャと、前記筒状バレルに着脱自在に装着されるグリップとを備える。【選択図】　図１
2004141176.tif 000002
【特許請求の範囲】
【請求項１】
先端部に投与部材が装着可能とされた筒状バレルと、
先端部が前記バレル内に位置し且つ基端部が該バレルの基端開口から外方へ延びるように、該バレル内に軸方向移動自在に挿入されるプランジャと、
前記筒状バレルに着脱自在に装着されるグリップとを備えていることを特徴とする歯科用注入器。
【請求項２】
前記グリップは、前記筒状バレルへの装着時に、該筒状バレルに対し軸方向移動不能且つ軸線回り回転可能とされていることを特徴とする請求項１に記載の歯科用注入器。
【請求項３】
前記投与部材として、注出口が前記筒状バレルの軸線から変位された注出用ノズルを備えていることを特徴とする請求項２に記載の歯科用注入器。
【請求項４】
前記筒状バレルは、軸部と、該軸部の基端部から径方向外方へ延在されたフランジ部とを備え、
前記軸部は、外周面に係合突起を有しており、
前記グリップは、前記軸部が挿通可能な中央孔を有する筒状部と、該筒状部から径方向外方に延びる把持部とを備えており、
該グリップは、前記フランジ部と前記係合突起とにより軸方向摺動不能に保持された状態で、前記軸部に対して軸線回り回転可能に連結されていることを特徴とする請求項１から３の何れかに記載の歯科用注入器。
【請求項５】
前記筒状バレルは外部から収容物質を視認できない材料で形成されており、
前記グリップは収容物質に応じた色彩とされていることを特徴とする請求項１から４の何れかに記載の歯科用注入器。
【発明の詳細な説明】
【０００１】
【発明の属する技術分野】
本発明は、バレル内に収容された歯科用物質を押し出すように構成された歯科用注入器に関する。
【０００２】
【従来の技術】
注入器は、基端部に収容物質充填用の開口を有し且つ先端部に該収容物質を注出又は吐出させる注出口を有する筒状のバレルと、先端部が前記バレル内に位置し且つ基端部が該バレルの基端開口から外方へ突出するプランジャとを備え、該プランジャをバレル先端側へ摺動させることによって、収容物質を前記注出口から押し出せるようになっている。
【０００３】
ところで、歯科用注入器は、歯磨材、歯面処理材、接着材、シーラント材、印象材、修復材等のペースト状物質を収容物質としており、従って、収容物質の吐出作業の際に比較的大きな押圧力を要する。
【０００４】
斯かる観点から、従来の歯科用注入器においては、前記バレルに一体形成されたグリップが設けられている。
該グリップは、前記プランジャをバレル先端側へ押動する際の把持部として使用できる為、使用者は容易に収容物質を注出させることができる。
【０００５】
しかしながら、従来の歯科用注入器は、前記グリップがバレルに一体形成されている為、操作性の観点で不都合があった。
即ち、歯科用注入器は、主に口腔内等の限られたスペース内で使用される。斯かる限られたスペース内の作業においては、前記グリップが邪魔になる場合があり、操作性が悪化するという問題があった。
【０００６】
又、歯科用注入器においては、筒状バレルの先端に装着される投与部材として、注出口が前記筒状バレルの軸線から変位された注出用ノズルが備えられる場合がある。
斯かる場合において、グリップが筒状バレルに一体形成されていると、前記注出用ノズルとグリップとの周方向相対位置を調整することができない為、以下の不都合が生じる。
即ち、前記注出用ノズルは該筒状バレルに対して軸線回り相対回転不能に装着される。又、筒状バレルに一体形成されているグリップも該筒状バレルに対して軸線回り相対回転不能である。
斯かる構成の従来の歯科用注入器を用いて収容物質を注出させる際、注出すべき部位に対して前記注出用ノズルを適切な姿勢とした場合に、前記グリップの周方向位置が使用者にとって把持し易い位置にあるとは限らない。逆に言うと、グリップを把持し易い位置におくと、前記注出用ノズルが注出すべき部位に対して適切な姿勢を取れないことになる。
【０００７】
さらに、収容すべき物質の種類によっては、前記筒状バレルを遮光性材料で形成する必要がある。斯かる場合には、前記筒状バレルは、一般的に、外部から視認不能な材料で形成される為、使用時において誤認混同が生じる危険性がある。
この点に関し、従来の歯科用注入器は十分な考慮がなされていない。
【０００８】
【発明が解決しようとする課題】
本発明は、前記従来技術の問題点を解決するためになされたもので、限られた作業スペース内での操作性を向上し得る構造簡単な歯科用注入器の提供を、一の目的とする。
又、筒状バレルが収容物質を外部から視認不能な材料で形成されている場合において、収容物質の識別を確実に行える歯科用注入器の提供を、他の目的とする。
【０００９】
【課題を解決するための手段】
本発明は、前記目的を達成するために、先端部に投与部材が装着可能とされた筒状バレルと、先端部が前記バレル内に位置し且つ基端部が該バレルの基端開口から外方へ延びるように、該バレル内に軸方向移動自在に挿入されるプランジャと、前記筒状バレルに着脱自在に装着されるグリップとを備えた歯科用注入器を提供する。
【００１０】
好ましくは、前記グリップは、前記筒状バレルへの装着時に、該筒状バレルに対し軸方向移動不能且つ軸線回り回転可能とされる。
又、一態様においては、前記投与部材として、注出口が前記筒状バレルの軸線から変位された注出用ノズルを備えることができる。
【００１１】
好ましくは、前記筒状バレルは、軸部と、該軸部の基端部から径方向外方へ延在されたフランジ部とを備え、前記軸部は、外周面に係合突起を有しており、前記グリップは、前記軸部が挿通可能な中央孔を有する筒状部と、該筒状部から径方向外方に延びる把持部とを備えており、該グリップは、前記フランジ部と前記係合突起とにより軸方向摺動不能に保持された状態で、前記軸部に対して軸線回り回転可能に連結される。
【００１２】
又、前記筒状バレルは外部から収容物質を視認できない材料で形成されている場合には、収容物質に応じた色彩のグリップを装着し得る。
【００１３】
【発明の実施の形態】
以下、本発明に係る歯科用注入器の好ましい実施の形態につき、添付図面を参照しつつ説明する。図１（ａ）に本実施の形態に係る歯科用注入器１の縦断側面図を示す。又、図１（ｂ）に該歯科用注入器１における下記プランジャ２０を取り外した状態の端面図を示す。さらに、図２に前記プランジャ２０を取り外した状態の図１におけるＩＩ部拡大図を示す。
【００１４】
本実施の形態に係る歯科用注入器１は、歯科分野で用いられる液状物質又はペースト状物質に対して好適に適用されるものである。斯かる歯科分野で用いられる液状又はペースト状物質として具体的に例示すると、例えば、液体又はペースト状歯磨材や歯面処理材、エッチング材、プライマー材、ボンディング材、シーラント材、流動性を有するオペーク材、色調改善材、コンポジットレンジ等が挙げられる。
【００１５】
詳しくは、前記歯科用注入器１は、図１に示すように、筒状バレル１０と、該筒状バレル１０内に挿入されるプランジャ２０と、前記筒状バレル１０に着脱自在に装着されるグリップ３０とを備えている。
【００１６】
前記筒状バレル１０は、先端部にノズル状注出口１１を有し且つ基端部に収容物質充填用注入口及び前記プランジャ挿入口となる基端開口１２を有している。前記筒状バレル１０の先端部は、注射針やノズル等の投与部材が装着され得るように構成されている。本実施の形態においては、投与部材として、注出口が前記筒状バレルの軸線から変位された注出用ノズル５０を備えている。該注出用ノズル５０は、例えば、筒状バレル１０の軸線に沿った基端部５１と、該基端部５１から偏向された偏向部５２であって、先端部が注出口とされた偏向部５２とを備え得る。
斯かる筒状バレル１０は、種々の材料で形成され得るが、例えば、金属，ガラス，プラスチック等を用いて形成することができる。
【００１７】
図３に、前記筒状バレル１０の基端部の拡大図を示す。
図１〜図３に示すように、前記筒状バレル１０は、前記ノズル状注出口１１及び前記基端開口１２を有する軸部１４と、該軸部１４の基端部から径方向外方へ延在するフランジ部１５とを備えている。
さらに、前記軸部１４には、フランジ部１５より先端側の近傍に、径方向外方に突出した係合突起１６が設けられている。本実施の形態においては、周方向に沿った複数の係合突起１６を設けている。
【００１８】
前記プランジャ２０は、先端部が前記筒状バレル１０内に位置し且つ基端部が該筒状バレル１０の基端開口１２から外方へ延在するように、該筒状バレル１０内に軸線方向移動自在に挿入される。
詳しくは、前記プランジャ２０は、先端部が前記バレル１０内に位置し且つ基端部が前記バレル１０の基端開口１２から外方へ延在するように、該バレル１０内に軸線方向移動自在に挿入される軸部（プランジャ本体）２１と、該軸部２１の基端部に連設された操作部２２とを有している。
【００１９】
好ましくは、前記軸部２１の外径を前記バレル１０の内径より小径とし、且つ、前記軸部２１の外周面に径方向外方へ膨出された膨出部であって、軸線方向に沿って離間された複数の膨出部２１ａ，２１ｂ，２１ｃを備えることができる。該膨出部２１ａ〜２１ｃは、前記バレル１０の内径より若干小さな外径を有するものとし得る。斯かる膨出部２１ａ〜２１ｃは、プランジャ２０をバレル１０内において軸線方向に移動させる際のガイド部材として機能する。
【００２０】
前記プランジャ２０の先端部には、前記筒状バレル１０の内周面と液密に摺接するシール体２５が設けられている。
本実施の形態においては、該シール体２５は、前記プランジャ２０の軸部２１に一体形成されている。
【００２１】
このように、本実施の形態に係る歯科用注入器１においては、前記プランジャ２０の先端部に設けられたシール体２５と前記筒状バレル１０のノズル状注出口１１との間によって収容物質の収容空間が画されており、該プランジャ２０の基端部に設けられた操作部２２を押圧して該プランジャ２０を前記筒状バレル１０に対して軸線方向先端側へ押動することで収容物質を前記ノズル状注出口１１から吐出させ得るようになっている。
【００２２】
図４（ａ）及び（ｂ）に、それぞれ、前記グリップ３０の側面図及び端面図を示す。図２及び図４に示すように、前記グリップ３０は、前記筒状バレル１０の軸部１４が挿通される中央孔３１ａを有する筒状部３１と、該筒状部３１から径方向外方へ延在された把持部３２とを備えている。
本実施の形態においては、前記把持部３２は、前記筒状部３１を挟んで径方向反対側へ延びる一対の把持片によって構成されており、これにより、グリップの小型化及び操作性向上を図っている。なお、図４の符号３３は、補強片である。
【００２３】
前記中央孔３１ａは、前記筒状バレル１０の軸部１４の外径よりも大径とされ且つ前記筒状バレル１０のフランジ部１５の外径よりも小径とされる。
そして、該中央孔３１ａには、径方向内方に突出し、前記係合突起１６と弾性係合するリブ３１ｂが設けられている。好ましくは、該リブ３１ｂは、周方向に亘って延びる環状リブとされる。
【００２４】
斯かる構成のグリップ３０を前記筒状バレル１０の軸部１４の先端側から挿通し、前記リブ３１ｂと係合突起１６とを弾性係合させることにより、該グリップ３０は、該係合突起１６と前記フランジ部１５とによって軸方向摺動不能な状態で、前記筒状バレル１０に対して軸線回り相対回転自在に連結される。
【００２５】
このように、本実施の形態に係る歯科用注入器１においては、前記グリップ３０が前記筒状バレル１０に対して軸方向摺動不能且つ軸線回り回転自在に連結されており、これにより、以下の効果を得ることができる。
即ち、筒状バレル１０を軸線回りに回転させることなく、グリップ３０を軸線回りに回転させることができるので、収容物質の注出時に、他の部材の姿勢を変えることなくグリップ３０のみを所望位置に位置させることができ、これにより、口腔内等の限られたスペースで収容物質を注出させる歯科用注入器の操作性を向上させることができる。
【００２６】
斯かる操作性の向上は、本実施の形態におけるように、投与部材として、注出口が筒状バレルの軸線から変位された注出用ノズル５０が装着されている場合に特に顕著である。
即ち、注出用ノズル５０は、ねじ結合等によって筒状バレル１０に相対回転不能に装着される。従って、グリップが筒状バレルに対して相対回転不能とされている従来の歯科用注入器においては、以下の不都合が生じる。
【００２７】
つまり、従来の歯科用注入器においては、注出用ノズルの偏向部が吐出部位に対して適切な姿勢をとる際の筒状バレルの軸線回り位置と、グリップが使用者にとって適切な位置をとる際の筒状バレルの軸線回り位置とが異なる場合において、注出用ノズル及びグリップの相対的な軸線回り位置を調整することができない為、何れかを最適な位置から変位させなければならない。
【００２８】
これに対し、本実施の形態に係る歯科用注入器１においては、前記グリップ３０が前記筒状バレル１０に対して軸線回り相対回転自在とされている為、前記注出用ノズル５０の偏向部５２に対するグリップ３０の周方向相対位置を適宜調整することができる。
従って、使用者にとって把持し易い姿勢に前記グリップ３０を位置させたまま、前記注出用ノズル５０の偏向部５２が適切な部位を向くように筒状バレル１０又はプランジャ２０を軸線回りに回転させることができる。
即ち、本実施の形態に係る歯科用注入器は、注出口を口腔内等の作業スペース内に位置させたまま、グリップ３０及び注出用ノズル５０の周方向相対位置を所望位置に位置させることができる。
さらに、本実施の形態においては、口腔内における収容物質が注出されるべき箇所から離間された部分を介して、グリップ３０と注出用ノズル５０との周方向相対位置を調整できる。
即ち、本実施の形態においては、口腔内の作業箇所に接触することなく離れた位置で、グリップ３０と注出用ノズル５０との周方向相対位置の調整可能であり、従って、衛生上も特に有効である。
【００２９】
又、本実施の形態においては、前述の通り、グリップ３０が筒状バレル１０に対して着脱可能とされている。従って、口腔内等の限られたスペース内で注出する際に、必要及び／又は所望に応じ、グリップ３０を取り外すことができ、これによっても、操作性を向上させることができる。
即ち、収容物質を吐出すべき部位によっては、前記グリップ３０を筒状バレル１０の軸線回り何れの位置に回転させても該グリップ３０が邪魔になる場合がある。
斯かる場合に、本実施の形態に係る歯科用注入器１においては、前記グリップ３０を取り外すことができ、これにより、無理なく収容物質の吐出を行える。
なお、本実施の形態に係る歯科用注入器１においては、前述の通り、筒状グリップ１０の基端部に前記係合突起１６及び前記フランジ部１５が設けられている。該係合突起１６及びフランジ部１５は、前記グリップ３０を取り外した状態で収容物質を吐出させる際の、把持部として作用し得る。
【００３０】
さらに、収容物質の種類によっては、筒状バレル１０を遮光性材料により形成する必要がある。斯かる場合には、一般的に、筒状バレル１０は不透明黒色等の外部から収容物質を視認不能な材料で形成される。従って、使用時に誤認が生じる危険性がある。
この点に関し、本実施の形態に係る歯科用注入器１においては、前記グリップ３０が前記筒状バレル１０に対して着脱自在とされている為、収容物質の種類に応じて異なる色彩のグリップ３０を用いることができる。
即ち、グリップ３０の色彩を、収容物質の識別手段として用いることができ、これにより、筒状バレル１０を遮光性材料で形成した場合における収容物質の誤認を有効に防止できる。
【００３１】
好ましくは、前記筒状バレル１０の軸部には、前記係合突起１６と前記フランジ部１５との間に、環状突起１７を設けることができる。
該環状突起１７は、前記グリップ３０の中央孔内周面と摺接するように構成される。
斯かる環状突起１７を設けることにより、グリップ３０と筒状バレル１０との接触面積を低減させ、これにより、グリップ３０を軸線回りに回転させる際の摺動抵抗を減らすことができる。
【００３２】
【発明の効果】
本発明によれば、収容物質を吐出させる際の把持部として作用するグリップを筒状バレルに対して着脱自在としたので、限られたスペース内における操作性を向上させることができる。
又、前記筒状バレルが外部から収容物質を視認できない材料で形成されている場合には、異なる色彩のグリップを用いることにより収容物質の識別を行うことができる。
さらに、前記グリップを、筒状バレルへの装着時に、該筒状バレルに対して軸方向移動不能且つ軸線回り回転可能とすれば、さらに操作性を向上させることができる。
【図面の簡単な説明】
【図１】図１（ａ）は、本発明の一実施の形態に係る歯科用注入器の縦断面図である。図１（ｂ）は、プランジャを取り外した状態の該歯科用注入器の端面図である。
【図２】図２は、図１におけるＩＩ部拡大断面図であり、プランジャを外した状態を示している。
【図３】図３は、図１に示す歯科用注入器における筒状バレルの基端部における拡大側面図である。
【図４】図４（ａ）及び（ｂ）は、それぞれ、図１に示す歯科用注入器におけるグリップの側面図及び端面図である。
【符号の説明】
１　　　　　　　歯科用注入器
１０　　　　　　筒状バレル
１４　　　　　　軸部
１５　　　　　　フランジ部
１６　　　　　　係合突起
２０　　　　　　プランジャ
３０　　　　　　グリップ
３１　　　　　　筒状部
３２　　　　　　把持部
５０　　　　　　注出用ノズル
【図１】
2004141176.tif 000003
【図２】
2004141176.tif 000004
【図３】
2004141176.tif 000005
【図４】
2004141176.tif 000006